(57)【要約】      （修正有）【課題】液体食品または飲料生成装置の構成的要素の組み込みを簡略化し、組立自動化を促進させ、装置の信頼性を高めて、その全体のサイズを小さくした製造プロセスを提供する。【解決手段】ａ）浸出ユニット５００と、ｂ）インラインヒータ６００と、ｃ）ポンプ８００と、ｄ）１つ以上の流体接続部材５’、２００と、ｅ）電気制御ユニット２と、ｆ）電気センサとを用意するステップ（Ｉ）と、組み立てのために構成要素ａ）〜ｆ）を接続するステップ（ＩＩ）とを備える。構成要素ａ）〜ｆ）の接続は、２つまたは３つのモジュールを予め組み立て、各モジュールは、構成要素ａ）〜ｆ）のうちの２つ以上の構成要素から完全自動で組み立てられ、予め組み立てられるモジュールの構成要素は、１つ以上の自動組み立てステップで自動的につかむことができ、方向付けることができ、位置決めすることができ、互いに完全に接続することができるように構成される。【選択図】図１
2014158948.tif 000002
【特許請求の範囲】
【請求項１】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するための、サーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令をインタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられる、前記ステップと、
少なくとも２つまたは３つのモジュールを予め組み立てるステップであって、前記モジュールは、前記インラインヒータおよび前記浸出ユニットを備える下方流モジュール、前記電気制御ユニット、前記動作特性を検出するための一つ以上の電気センサ、前記制御ユニットから前記ハウジングを通じて延びる硬質コネクタを備える制御モジュール、或いは、ポンプ、前記ポンプを前記流体源に接続するための流体接続部材を備える上方流モジュールから選択される、前記ステップと、
前記飲料生成装置を組み立てるために、各モジュールの構成要素ａ）〜ｆ）を接続するステップと、
を備え、
完全自動で予め組み立てられる前記モジュールの前記構成要素は、一つ以上の自動組み立てステップにおいて、空間的な基準部分が、自動的につかまれ、方向付けられ、位置付けられ、互いに完全に接続可能となるように構成され、
完全自動で予め組み立てられる各モジュールの前記構成要素は、前記自動組み立てステップ中に、自動的に方向付けることができ、位置決めすることができ、接続することができる相互接続可能な硬質接続部品を有する、プロセス。
【請求項２】
2.（２）
前記自動組み立てステップは、ロボットまたは自動装置を含む一つ以上の組み立て装置によって実施され、前記ロボットまたは自動装置は、２〜６の自由度を有する、請求項１に記載のプロセス。
【請求項３】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するための、サーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令をインタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられる、前記ステップと、
少なくとも２つまたは３つのモジュールを予め組み立てるステップであって、前記モジュールは、前記インラインヒータおよび前記浸出ユニットを備える下方流モジュール、前記電気制御ユニット、前記動作特性を検出するための一つ以上の電気センサ、前記制御ユニットから前記ハウジングを通じて延びる硬質コネクタを備える制御モジュール、或いは、ポンプ、前記ポンプを前記流体源に接続するための流体接続部材を備える上方流モジュールから選択される、前記ステップと、
前記飲料生成装置を組み立てるために、各モジュールの構成要素ａ）〜ｆ）を接続するステップと、
を備え、
完全自動で予め組み立てられる前記モジュールの前記構成要素は、一つ以上の自動組み立てステップにおいて、空間的な基準部分が、自動的につかまれ、方向付けられ、位置付けられ、互いに完全に接続可能となるように構成され、
完全自動で予め組み立てられるモジュールの前記構成要素は、前記自動組み立てステップ中に、自動的に接続することができる相互接続可能な接続部品を有し、スナップコネクタ、クリップコネクタ、クランプコネクタ、プラグ・ソケットコネクタ、バヨネットコネクタ、および、ネジコネクタから選択される、プロセス。
【請求項４】
前記モジュールの一つは、前記インラインヒータおよび前記浸出ユニットを備える下方流モジュールであって、前記インラインヒータおよび前記浸出ユニットは、バヨネットコネクタによって相互接続される、請求項１に記載のプロセス。
【請求項５】
前記モジュールのうちの１つが、前記ポンプと、前記ポンプを前記液体源に接続するための流体接続部材とを備える上方流モジュールであり、随意的に、前記流体接続部材が、柔軟な中間流通ダクトと、一対のコネクタ端部とを有し、前記コネクタ端部が、後の前記ポンプに対する接続および前記液体源の位置決めのために、振動フィーダによって自動的に方向付けることができ、位置決めすることができる、請求項１に記載のプロセス。
【請求項６】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するための、サーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令を、インタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられ、前記飲料装置を組み立てるために各モジュールの構成要素ａ）〜ｆ）を接続する前記ステップと、
前記インラインヒータおよび前記浸出ユニットを備える下方流モジュールを自動的に予め組み立てるステップと、
制御モジュールを自動的に予め組み立て、その後、プリント回路基板を取り囲むハウジングを備える制御モジュールと前記下方流モジュールとを自動的に組み立てるステップであって、前記硬質コネクタを伴う前記電気センサは、前記ハウジングを貫通して前記制御ユニットから延びることができる、前記ステップと、
を備え、
前記完全自動で予め組み立てられるモジュールの前記構成要素は、一つ以上の自動組み立てステップにおいて、空間的な基準部分が、自動的につかまれ、方向付けられ、位置決められ、互いに完全に接続可能となるように構成される、プロセス。
【請求項７】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するための、サーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令を、インタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられ、前記飲料装置を組み立てるために各モジュールの構成要素ａ）〜ｆ）を接続する、前記ステップと、
前記インラインヒータおよび前記浸出ユニットを備える下方流モジュールを自動的に予め組み立てるステップと、
前記ポンプ、前記ポンプを前記液体源に接続するための流体接続部材を備える上方流モジュールを自動的に予め組み立てるステップと、
硬質流体接続部材を介して前記下方流モジュールと前記上方流モジュールとを自動的に組み立てるステップであって、前記流体接続部材は、硬質ダクトと、弾性シール部材を伴う端部コネクタとを有する、前記ステップと、
を備え、
前記完全自動で予め組み立てられるモジュールの前記構成要素は、一つ以上の自動組み立てステップにおいて、空間的な基準部分が、自動的につかまれ、方向付けられ、位置決められ、互いに完全に接続可能となるように構成される、プロセス。
【請求項８】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するためのサーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令を、インタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられ、前記飲料装置を組み立てるために各モジュールの構成要素ａ）〜ｆ）を接続する、前記ステップと、
前記電気制御ユニット、前記動作特性を検出するための電気センサを備える制御モジュールを自動的に予め組み立てるステップと、
前記ポンプ、前記ポンプを前記液体源に接続するための流体接続部材を備える上方流モジュールを自動的に予め組み立てるステップと、
前記制御モジュールおよび前記上方流モジュールを電気コネクタまたは流量計を介して自動的にまたは手作業で組み立てるステップと、
を備え、
前記電気コネクタは、前記制御ユニットに予め組み立てられる柔軟電気接続によって前記制御ユニットの取り外し可能な部分を備え、
前記完全自動で予め組み立てられるモジュールの前記構成要素は、一つ以上の自動組み立てステップにおいて、空間的な基準部分が、自動的につかまれ、方向付けられ、位置決められ、互いに完全に接続可能となるように構成される、プロセス。
【請求項９】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するためのサーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令を、インタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられ、前記飲料装置を組み立てるために各モジュールの構成要素ａ）〜ｆ）を接続する、前記ステップと、
前記電気制御ユニット、前記動作特性を検出するための電気センサを備える制御モジュールを自動的に予め組み立てるステップと、
前記ポンプ、前記ポンプを前記液体源に接続するための流体接続部材を備える上方流モジュールを自動的に予め組み立てるステップと、
前記制御モジュールおよび前記上方流モジュールを電気コネクタまたは流量計を介して自動的にまたは手作業で組み立てるステップと、
を備え、
前記電気コネクタは、予め組み立てられる柔軟な電気接続部によって前記制御ユニットに接続される前記制御ユニットの取り外し可能な部分を備え、
前記完全自動で予め組み立てられるモジュールの前記構成要素は、一つ以上の自動組み立てステップにおいて、空間的な基準部分が、自動的につかまれ、方向付けられ、位置決められ、互いに完全に接続可能となるように構成され、
前記流量計は、前記制御ユニット内に、または前記制御ユニットの取り外し可能な部分に強固に取り付けられ、前記制御ユニットに対して予め組み立てられる柔軟な接続部を備える、プロセス。
【請求項１０】
飲料生成装置を製造するためのプロセスにおいて、
予め組み立てられる少なくとも２つのモジュールを用意するステップであって、各モジュールは、以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するためのサーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令を、インタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
から選択される少なくとも２つの構成要素から完全自動で組み立てられ、前記飲料装置を組み立てるために各モジュールの構成要素ａ）〜ｆ）を接続する、前記ステップと、
開放した単一または２つのシェル外側飲料ハウジングを用意するステップと、
前記少なくとも２つまたは３つの自動的に予め組み立てられるモジュールを自動的に相互接続するステップと、
前記相互接続されたモジュールを前記開放した外側飲料ハウジング内に自動的に取り付けるステップと、
前記取り付けられたモジュールを含む前記外側飲料ハウジングを自動的に閉じ、随意的に、前記外側飲料ハウジングを閉じる前に２つの相互接続されたモジュールを手作業で相互接続するステップと、
を備え、
前記完全自動で予め組み立てられるモジュールの前記構成要素は、一つ以上の自動組み立てステップにおいて、空間的な基準部分が、自動的につかまれ、方向付けられ、位置決められ、互いに完全に接続可能となるように構成される、プロセス。
【請求項１１】
飲料生成装置において、
予め組み立てられる少なくとも２つまたは３つのモジュールであって、各モジュールは、以下の一群の構成要素、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するためのサーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令をインタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
スナップコネクタ、クリップコネクタ、クランプコネクタ、プラグ・ソケットコネクタ、バヨネットコネクタ、ネジコネクタから選択される構成要素毎に相互接続可能な、少なくとも一つの接続部分、
から選択される少なくとも２つの構成要素であり、
前記２つまたは３つのモジュールは、前記インラインヒータおよび前記浸出ユニットを備える下方流モジュールと、電気制御ユニットおよび前記動作特性を検出するための一つ以上の電気センサ、前記制御ユニットから前記ハウジングを貫通して延びる硬質コネクタを備える制御モジュールと、前記ポンプ、前記ポンプを前記液体源に接続するための流体接続部材を備える上方流モジュールとから選択され、
前記モジュールの前記構成要素は、空間的な基準部分が、自動的につかまれ、方向付けられ、位置決められ、相互接続可能な接続部品によって互いに完全に接続可能となるように構成される、飲料製造装置。
【請求項１２】
液体を液体源から飲料出口へと案内するための流体回路を更に備え、
前記制御ユニットの前記プリント回路基板は、内部の流量を測定するために、前記流体回路内に配置されるとともに前記プリント回路基板から引き裂くことができる部分などの分離可能な部分と一体のホールセンサを有する流量計とを含む、請求項１１に記載の飲料生成装置。
【請求項１３】
前記浸出ユニットは、スナップコネクタ、クリップコネクタ、クランプコネクタ、バヨネットコネクタ、および、ネジコネクタによって前記インラインヒータに隣接して機械的に取り付けられる原料ケージまたはカプセルケージを有する請求項１１に記載の飲料生成装置。
【請求項１４】
前記浸出ユニットは、飲料出口へと略水平方向に沿って前記流入する液体流を前記原料に通過させて案内し、前記インラインヒータは、前記浸出ユニットに供給されるべき前記液体流を案内して加熱するためのダクトを伴うマスを有し、前記ダクトは、前記マス内で、前記原料ケージ内での前記液体の流れ方向と同軸な方向に沿って略螺旋状に延びるとともに、前記原料ケージ内での前記液体の流れ方向と同軸な方向に沿って前記原料ケージ内に通じる、請求項１３に記載の飲料生成装置。
【請求項１５】
前記浸出ユニットは、前記原料ケージを含む固定されたリア部品と、前記原料ケージ内におよび／または前記原料ケージから前記原料を挿入または除去するための開位置と前記原料を前記浸出ユニット内で浸出するための閉位置との間で前記リア部品に対して移動可能なフロント部品とを有し、前記フロント部品は、そのような装置の最も外側のハウジングの内外に伸縮してまたは前記原料ケージ内での液体の流れ方向と同軸に移動する、請求項１４に記載の飲料生成装置。
【請求項１６】
前記制御ユニットは、前記ヒータに隣接して略鉛直にまたは前記原料ケージを通じた前記液体の流れ方向に対して略垂直に延び、構成要素毎に前記少なくとも一つの相互接続可能な接続部品は、スナップコネクタ、クリップコネクタ、クランプコネクタ、プラグ・ソケットコネクタ、バヨネットコネクタから選択される、請求項１４に記載の飲料生成装置。
【請求項１７】
飲料生成装置を製造するためのプロセスにおいて、
以下の一群の構成要素ａ）〜ｆ）、すなわち、
ａ）カプセル又はポッド内に供給される事前分割された原料を受けるとともに、流入する液体流を前記原料に通過させて飲料出口へと案内するための浸出ユニット
ｂ）前記浸出ユニットに供給されるべき前記液体流を加熱するためのサーモブロックを備えるインラインヒータ
ｃ）前記インラインヒータを通じて前記液体を圧送するためのポンプ
ｄ）液体源から前記飲料出口へと案内するための１つ以上の流体接続部材
ｅ）プリント回路基板を備え、ユーザからの命令をインタフェースを介して受けるとともに、前記インラインヒータおよび前記ポンプを制御するための電気制御ユニット
ｆ）前記浸出ユニット、前記インラインヒータ、前記ポンプ、液体リザーバ、原料コレクタの特性、前記液体の流量、前記液体の圧力、および、前記液体の温度から選択される少なくとも１つの動作特性を検出するとともに、前記特性を前記制御ユニットに通信するための１つ以上の電気センサ
を用意するステップと、
少なくとも２つまたは３つのモジュールを予め組み立てることによって、前記飲料装置を組み立てるための構成要素ａ）〜ｆ）を接続するステップであって、各モジュールは、構成要素ａ）〜ｆ）のうちの少なくとも２つから完全自動で組み立てられ、前記完全自動で予め組み立てられるモジュールの前記構成要素は、一つ以上の自動組み立てステップにおいて、空間的な基準部分が、自動的につかまれ、方向付けられ、位置決められ、互いに完全に接続可能となるように構成される、前記ステップと、
を備え、
前記モジュールの一つは、前記電気制御ユニットおよび前記動作特性を検出するための前記電気センサを備える制御モジュールであり、前記電気センサは、前記電気制御ユニットに自動的に接続可能な、対応するソケットと協働する硬質接続ピンを有し、前記硬質コネクタが前記電気センサから前記制御ユニットへと延び、
前記制御ユニットは、プリント回路基板を取り囲むためのハウジングを備え、前記硬質コネクタを伴う前記電気センサは、前記制御ユニットから前記ハウジングを貫通して延びる、プロセス。
【請求項１８】
前記制御ユニットは、流量計のホールセンサを備える部分を有するプリント回路基板を備え、前記流量計は、前記センサが前記流量計に組み付けられるように前記部分に対して強固に取り付けられる、請求項１７に記載のプロセス。
【請求項１９】
前記制御ユニットは、貫通開口を有するハウジングを備え、前記流量計が、前記ハウジングの外側に延びる流体回路内に接続するために、前記貫通開口を通じて前記プリント回路基板から延びる、請求項１８に記載のプロセス。
【発明の詳細な説明】
【技術分野】
【０００１】
本発明は、飲料生成装置を組み立てるための製造プロセス、および、そのような製造プロセスによって組み立てられるのに適する部品からなる装置に関する。
【０００２】
この説明の目的のため、「飲料」は、ティー、コーヒー、ホットまたはコールドチョコレート、ミルク、スープ、ベビーフードなどの任意の液体食品を含むように意図される。
【背景技術】
【０００３】
飲料生成装置は長年にわたって知られてきた。例えば、米国特許第５，９４３，４７２号は、水リザーバとエスプレッソ機の温水または蒸気分配チャンバとの間での水流通システムを開示している。流通システムはバルブと金属加熱チューブとポンプとを含んでおり、これらは、互いに接続されるとともに、クランプカラーを使用して結合される異なるシリコンホースを介してリザーバに接続される。飲料装置に適したポンプは、例えば、米国特許第２，７１５，８６８号、５，３９２，６９４号、５，９９２，２９８号、および、６，５５４，５５８号に開示されている。
【０００４】
欧州特許第１ ６４６ ３０５号は、後に浸出ユニットの入口へ供給される流通水を加熱する加熱装置を有する飲料生成装置を開示している。浸出ユニットは、飲料原料を収容するカプセルに加熱水を通過させて飲料原料を浸出するようになっている。浸出ユニットは、第１の部品と第１の部品に対して移動可能な第２の部品とによって画定されるチャンバと、第１および第２の部品を一緒に浸出ユニットの開形態から閉形態へと移動させる前に第１の部品と第２の部品との間の中間位置にカプセルを位置決めするためのガイドとを有する。
【０００５】
流通液体、特に水を加熱するためのインラインヒータもよく知られており、インラインヒータは、例えば、スイス特許第５９３ ０４４号、独国特許第１０３ ２２０３４号、独国特許第１９７ ３２ ４１４号、独国特許第１９７ ３７ ６９４号、欧州特許第０ ４８５ ２１１号、欧州特許第１ ６４６ ３０５号、仏国特許第２ ７９９６３０号、米国特許第４，２４２，５６８号、米国特許第４，５９５，１３１号、米国特許第５，０１９，６９０号、米国特許第５，３９２，６９４号、米国特許第５，９４３，４７２号、米国特許第６，３９３，９６７号、米国特許第６，８８９，５９８号、米国特許第７，２８６，７５２号、国際公開第０１／５４５５１号、および、国際公開第２００４／００６７４２号に開示されている。
【０００６】
特に、スイス特許第５９３ ０４４号および米国特許第４，２４２，５６８号は、金属マス（ｍａｓｓ：塊状体）を有するインラインサーモブロックヒータを伴うコーヒー機を開示しており、金属マスは、その内部に成型される抵抗加熱ケーブルと、加熱されるべき水の流通のためのダクトとを有する。
【０００７】
欧州特許第０ ４８５ ２１１号は、温水器、シャワー、洗浄機、皿洗い機、または、湯沸かし器のためのヒータを開示している。ヒータは、液体を加熱するための容器と、容器の一部を加熱するようになっている電気加熱素子とを含む。加熱素子は、厚膜内に温度ヒューズが含まれる厚膜抵抗加熱回路を組み込む。この文献はトライアック型電力調整器を更に開示しており、電力調整器は、このトライアックのためのヒートシンカとして作用する加熱素子に対して直接に取り付けられる。また、サーミスタ、厚膜上に形成される温度センサ、温度ヒューズ、ヒータを通じた流量を連続的に調整するための流量制御バルブ、流量制御器、および、温度制御器の存在も開示される。これらの電気構成要素は、リモート可能な制御ユニットに接続され、または、ヒータの金属基板が流入冷却水によって冷たく保たれる入口パイプに近い場所に厚膜の誘電体層の一部として形成される。同様の考えが、独国特許第１０３２２ ０３４号、独国特許第１９７ ３２ ４１４号、および、独国特許第１９７ ３７ ６９４号に開示されている。飲料生成装置のためのインライン管状ヒータは、国際公開第０１／５４５５１号、国際公開第２００４／００６７４２号、および、米国特許第７，２８６，７５２号に開示されている。
【０００８】
米国特許第６，８８９，５９８号は、液体を収容するとともに、液体を加熱し、冷却し、撹拌し、泡立て、圧送し、もしくは、発泡させるためまたは原料を粉砕するための作動装置を有する飲料装置を開示し、作動装置はトライアックなどの電子スイッチを介して給電され、電子スイッチは、スイッチによって生成される熱を特にスチールまたはアルミニウムからなる液体加熱タンクの底部を介して随意的にはラジエータを用いて液体へ放出するために液体と通熱関係をなすことにより冷却される。
【０００９】
また、米国特許第５，０１９，６９０号は、トライアックスイッチを介して給電される抵抗ヒータを有する熱湯分配器を開示しており、トライアックスイッチは、ケーブルを介して制御モジュールに接続されるとともに、トライアックスイッチで発生される熱を、水を介して放出するために分配器の水リザーバの底部に取り付けられる。
【００１０】
米国特許第４，５９５，１３１号は、水加熱リザーバを有する飲料生成装置を開示しており、水加熱リザーバは、リザーバ内のサーミスタプローブおよびサーモスタット制御のヒータに通じる一連のケーブルを介してプリント回路基板（ＰＣＢ）に電気的に接続される。欧州特許第１６１０ ５９６号は、ＰＣＢのための放熱システムを開示しており、ＰＣＢは、ＰＣＢによって発生される熱の散逸のために、ＰＣＢの縁部にそれに沿って配置される熱伝導性のバーへと延びる熱伝導性が高い材料からなる層を含む。
【００１１】
仏国特許第２ ７９９ ６３０号は、ポンプおよびサーモブロックを介して浸出ユニットに接続される冷水リザーバを有するエスプレッソ機を開示している。サーモブロックは温度センサと電気ヒータとを含む。温度センサおよびヒータはコントローラを有するＰＣＢに接続され、電力は、ＰＣＢ上に配置されてコントローラによって制御されるトライアックを介してヒータに送られる。
【００１２】
米国特許第５，９４３，４７２号は、水リザーバとエスプレッソ機の温水または蒸気分配チャンバとの間の水流通システムを開示している。流通システムはバルブと金属加熱チューブとポンプとを含んでおり、これらは、互いに接続されるとともに、クランプカラーを使用して結合される異なるシリコンホースを介してリザーバに接続される。
【００１３】
従来技術のシステムの欠点は、多大な手動介入を必要とし、コストの増大をもたらすそれらの製造の複雑さにある。提案されたシステムは多数の独立型部品を備えるため、これらの部品は、装置を組み立てて修理するために多数の組み立てステップを必要とする。シリコンホースおよびクランプ、ならびに、自由柔軟な非弾性電気ケーブルおよびワイヤの組み付けも、装置の組み立て中に人の介入を必要とする。結果として、そのような装置の製造および修理は複雑でコストがかかる。また、そのような従来技術の組み立てられた装置は、一体性を欠き、かなり膨大な構造をもたらす。
【発明の概要】
【発明が解決しようとする課題】
【００１４】
本発明の好ましい目的は、液体食品または飲料生成装置の構成的要素の組み込みを簡略化して改善することにより、装置の組み立ての更なる自動化を促進させて可能にし、製造工程およびコストを減らすとともに、装置の信頼性を高めて、その全体のサイズを小さくすることである。
【課題を解決するための手段】
【００１５】
この目的は、特に、飲料生成装置を製造するためのプロセスであって、
− ａ）この飲料の原料、特にカプセルまたはポッド内に供給される事前分割された原料を受けるとともに、水などの流入する液体流を上記原料に通過させて飲料出口へと案内するための浸出ユニットと、
ｂ）浸出ユニットに供給されるべきこの液体流を加熱するためのサーモブロックなどのインラインヒータと、
ｃ）インラインヒータを通じてこの液体を圧送するためのポンプと、
ｄ）この液体を液体タンクなどの液体源から飲料出口へと案内するための１つ以上の流体接続部材と、
ｅ）特にプリント回路基板（ＰＣＢ）を備え、ユーザからの命令を、インタフェースを介して受けるとともに、インラインヒータおよびポンプを制御するための電気制御ユニットと、
ｆ）浸出ユニット、インラインヒータ、ポンプ、液体リザーバ、原料コレクタの特性、この液体の流量、この液体の圧力、および、この液体の温度から選択される少なくとも１つの動作特性を検出するとともに、そのような特性を制御ユニットに通信するための１つ以上の電気センサと、
を含む一群の構成要素ａ）〜ｆ）を設けるステップと、
− この飲料装置を組み立てるために構成要素ａ）〜ｆ）を接続するステップと、
を備えるプロセスを提供することよって達成される。
【００１６】
ヒータは、サーモブロックまたはオンデマンドヒータ（ＯＤＨ）、例えば欧州特許第１２５３ ８４４号、欧州特許第１ ３８０ ２４３号、および、欧州特許第１８０９ １５１号に開示されるＯＤＨタイプのものであってもよい。
【００１７】
サーモブロックは、一般に、液体が加熱のために流通して流通されるインラインヒータである。サーモブロックは、熱エネルギを蓄積するための高い熱容量と、必要なときにはいつでも蓄積された所要量の熱を、サーモブロックを通じて流通する液体に対して伝えるための高い熱伝導率とを有する、例えばアルミニウム、鉄、および／または、他の金属もしくは合金からなる金属の（膨大な）マスを貫通して延びる、特にスチールからなる１つ以上のダクトなどの加熱チャンバを備える。別個のダクトの代わりに、サーモブロックのダクトは、機械加工されまたはさもなければ、例えばサーモブロックのマスの鋳造ステップ中に形成されるダクトの本体内に形成される貫通路によってもたらされてもよい。サーモブロックのマスがアルミニウムから形成される場合には、健康を考慮して、例えばスチールの別個のダクトを設けて、流通液とアルミニウムとの間の接触を回避することが好ましい。ブロックのマスは、ダクトの周囲の１または複数の組み立て部品から形成することができる。サーモブロックは、通常、電気エネルギを加熱エネルギへと変換する１つ以上の抵抗加熱要素、例えば別個のまたは一体のレジスタを含む。そのような抵抗加熱要素は、一般に、ダクトから１ｍｍを上回る距離、特に２〜５０ｍｍまたは５〜３０ｍｍの距離を隔ててサーモブロックのマス内またはマス上にある。熱は、サーモブロックのマスへ供給され、マスを介して流通液へ供給される。加熱要素は、金属マスに成形されもしくは収容されてもよく、または、金属マスの表面に対して固定されてもよい。ダクトは、その／それらの長さとブロックを通じた熱伝達とを最大にするために、サーモブロックに沿って螺旋状の配置または他の配置を有してもよい。そのようなヒータの一例は、国際出願ＰＣＴ／ＥＰ０８／０６３１２８号に更に詳しく開示されている。
【００１８】
ヒータ、特にサーモブロックまたはＯＤＨは、マスを通じた液体の流れ方向に沿って、通常は細長く、例えばダクトを形成する加熱チャンバを金属マス内に有する。加熱チャンバは、例えば水平軸線または非垂直傾斜軸線に沿って螺旋状に延びる略螺旋状ダクトの部分である、上流部分とそれに後続する下降流部分とを備えてもよい。そのような上流部分および下降流部分は、これらに沿って液体の増速を促して増速を伴う液体の流れによって泡を下降流部分へと押し下げることによりそのような上流部分での泡の蓄積を抑制する幅狭い断面を有してもよい。この構成において、細長いチャンバは、その断面のサイズがチャンバに沿って変化するようになっており、それにより、さもなければ泡、特に蒸気泡を捕捉する働きをする場合がある領域、通常は上側領域で流速が高められる。これらの領域で増大された液体速度は、これらの領域での液体の高速流によって泡をこれらの領域から「洗い」流す。断面が減少されたそのような領域での過熱を避けるため、ヒータの対応する部分で、例えば、これらの部分の抵抗手段を調整することによって、加熱出力が減少されてもよい。そのようなヒータおよびダクトの例は国際出願ＰＣＴ／ＥＰ０８／０６３０９２号に開示されている。
【００１９】
本発明によれば、構成要素ａ）〜ｆ）を接続するステップは、少なくとも２つまたは３つのモジュールを予め組み立てる工程を備える。各モジュールは、上記の構成要素ａ）〜ｆ）のうちの少なくとも２つの構成要素から完全自動で組み立てられる。完全自動で予め組み立てられるモジュールの構成要素は、１つ以上の自動組み立てステップにおいて、特にロボットおよび／または自動装置、一般的には２〜６つの自由度または３〜５つの自由度を有するロボットおよび自動装置などの１つ以上の組み立て装置によって自動的につかむことができ、方向付けることができ、位置決めすることができ、および、互いに完全に接続することができるように構成される。
【００２０】
完全に自動のまたはほぼ自動の組み立てのためにそのような構成要素を設けることによって、組み立てがかなり簡略化され、これらの構成要素を組み立てるために手作業による人の介入がもはや必要とされない。これにより、組み立てコストおよび装置の信頼性が減少されるとともに、人為的な組み立てミスに起因する故障の危険および問題が減少される。これは、組み立てステップがより簡単であり、組み立てステップをほぼ自動化または完全に自動化できるからである。
【００２１】
このことは、互いに自動的に組み立てられる構成要素が、自動組み立て装置によって、例えば、組み立て装置の振動ボウルまたは他の同様の装置を介して方向付けてつかむことができる空間的な基準部分を備えていなければならないこと、または、互いに自動的に組み立てられる構成要素が、予め方向付けられるおよび順序付けられる態様で、例えば格納バンドもしくは順序付けられた供給カートリッジの状態で供給されなければならず、後者が自動組み立て装置のための空間的な基準部分を備えることを意味する。
【００２２】
完全自動で予め組み立てられるモジュールの構成要素は、自動組み立てステップ中に自動的に方向付けることができ、位置決めすることができ、および、接続することができる相互接続可能な硬質接続部品を有してもよい。空間的な基準としての役目を果たし得る硬質部品を構成要素に設けると、自動組み立て装置による自動的な取り扱いおよび組み立てが可能になる。組み立て手順は、特に、基準としての役目を果たすそのような硬質部分を発端としてプログラムされてもよい。
【００２３】
完全自動で予め組み立てられるモジュールの構成要素は、自動組み立てステップ中に自動的に接続することができ、スナップコネクタ、クリップコネクタ、クランプコネクタ、プラグ・ソケットコネクタ、バヨネットコネクタ、および、ネジコネクタから選択される相互接続可能な接続部品を有する。
【００２４】
そのようなモジュールのうちの１つは、インラインヒータおよび浸出ユニットを備える下方流モジュールであってもよく、インラインヒータおよび浸出ユニットは、随意的に、バヨネットコネクタ装置または他の接続装置によって相互接続される。
【００２５】
一般に、ヒータ、例えばサーモブロックは、マスを通じて流通する液体をそれが加熱される場所に案内するための硬質通路、特に硬質自由流通路を協働して形成する金属マスの入口、出口、および、加熱チャンバを有する。
【００２６】
ヒータ自体、例えばサーモブロックは、浸出ユニットの上流部分を保持してもよく、上流部分は、金属マスの硬質通路、特に硬質自由流通路が浸出チャンバ内へ延びるように金属マスによって形成されまたは金属マス内に強固に固定される。
【００２７】
また、浸出ユニットは、通常、浸出チャンバを形成するために、飲料出口を有し、浸出ユニットの入口を有する上流部分と協働する下流部分を含む。浸出ユニットの下流部分および上流部分は、飲料原料を浸出チャンバ内に供給するためおよび浸出チャンバから排出するために互いに離間移動できるとともに接近移動できてもよい。例えば、上流部分および金属マスが固定され、下流部分が上流部分へとおよび上流部分から移動できる。あるいは、上流部分および金属マスが一緒になって下流部分へとおよび下流部分から移動でき、下流部分が上記装置内で固定されまたは移動できてもよい。そのような浸出ユニットは例えば国際出願ＰＣＴ／ＥＰ０８／０６０４６３号に開示されている。
【００２８】
これらのモジュールのうちの１つは、電気制御ユニットと動作特性を検出するための電気センサとを備える制御モジュールであってもよく、電気センサは、硬質コネクタを有し、特に、電気制御ユニットに自動的に接続可能な、対応するソケットと協働する硬質接続ピンを有し、硬質コネクタは電気センサから制御ユニットへと延びる。そのようなセンサの本体を特に柔軟な非弾性ケーブルまたはワイヤを介して離れた接続部ではなくＰＣＢに対して直接に強固に取り付けると、その完全自動組み立てが可能になるとともに、接続の弱さに起因する故障の危険が減少する。したがって、装置の動作特性を検出する位置を制御ユニットに近づけるべきである。そのため、それに応じて、装置の内部装置、例えば流体回路、ヒータ、ポンプ等は、それらの検出場所を制御ユニットの近傍に有するように構成されなければならない。そのような制御ユニットの例が国際出願ＰＣＴ／ＥＰ０８／０６３１２８号に開示されている。
【００２９】
したがって、組み立て工程の数を減らすため、特に製造プロセス中の人の介入を減らすため、柔軟な非弾性の変形可能な電気ケーブル接続の数が減少される。特に、例えば硬質コネクタピンまたはブレードまたは硬質プラグ・ソケット部材を介して、電気構成要素を制御ユニットに対して、特にそのＰＣＢに対して強固に接続することができる。場合により、電気構成要素は、これらの電気構成要素をヒータの金属マスと接触させるように、ヒータ、例えばサーモブロックに対して機械的に固定できるＰＣＢ上の一体型構成要素の形態をなして存在する。そのようにして、電気構成要素、特に加熱レジスタなどの液体流通システムと接触する電気構成要素をＰＣＢに自動的に取り付けることができ、その後、ＰＣＢと液体流通システムとの間で柔軟な非弾性の変形可能な電気コネクタ（例えばケーブルまたはワイヤ）をほぼ回避することなく、その電気構成要素を有するＰＣＢが液体流通システムに対して自動的に組み付けられる（例えば、クリップ留めされまたは接着される）。また、電気構成要素をＰＣＢに対して溶接により組み付けることもできる。更に、これらの電気構成要素の一部をヒータの金属マスの表面に対して直接に適用される一体構成要素としてＰＣＢに設けることができる。
【００３０】
これらのセンサのうちの１つはヒューズ装置の一部であってもよい。そのような装置は、ヒータと伝熱し、ヒータが温度限度を超えるときに電源回路を開くためにユーザスイッチを機械的に作動させる熱機械構成要素を備えるアクチュエータを有してもよい。熱機械構成要素は特に形状記憶要素またはバイメタル要素を備える。ヒューズ装置は、ヒータと伝熱する安全電気温度センサと、安全センサが温度限度を超えるヒータによってもたらされる温度に晒されるときに電源回路を開くためにユーザスイッチを作動させる電気機械アクチュエータとを含むことができる。ヒューズ装置、特にアクチュエータ、電気機械または熱機械アクチュエータ、ユーザスイッチ、および／または、存在するときには安全センサのうちの少なくとも一部は、制御ユニットのＰＣＢに対して、随意的には装置の直轄の制御ユニット、例えば飲料または液体食品分配自己洗浄ユーザインタフェースなどの装置の有用な動作を制御するためのユニットから電気的に絶縁される部品に対して強固に接続されてもよい。そのため、液体食品・飲料装置へのヒューズ装置の組み立て、一体化、安全性が改善される。そのようなヒューズ装置の例が国際出願ＰＣＴ／ＥＰ０８／０６３１２８号に開示されている。
【００３１】
１つの実施形態において、そのような電気構成要素は、ヒータの金属マスのキャビティ内に固定される。随意的に、構成要素はキャビティ内の付勢スプリング要素によってキャビティ内に固定され、または、キャビティは、構成要素を備えるプラグのためのソケットを形成し、もしくは、逆もまた同様である。電気構成要素は、金属マス内にもしくは金属マス上に接着されてもよく、または、任意の他の適した手段によって、例えば螺合、圧力嵌めにより金属マスと一緒に取り付けられてもよい。
【００３２】
そのような電気構成要素は、硬質電力ピンと硬質電力ピンを受けるためのソケットを有する硬質電力コネクタとを介して強固に接続されるレジスタヒータおよび／または電力スイッチなどの電力構成要素を含んでもよい。ソケットの小さな変位を可能にしてピンの周囲にソケットを自己位置決めするとともに、ピンとコネクタとの間の電気的な接触を確保するために、硬質コネクタは、弾性を有することができ、特に１つ以上のスプリングブレードから形成できる。
【００３３】
１つの実施形態では、制御モジュールが制御ユニットを取り囲むためのハウジングを有し、硬質コネクタを有する電気センサがハウジングを貫通して制御ユニットから延びることができる。ハウジングは、制御ユニットを液体もしくは蒸気、塵埃、または、装置内に存在する他の残渣から遮蔽するために使用されてもよい。更に、ハウジングは、例えば対応する貫通開口によってまたはセンサから制御ユニットまでの強固な接続のための接続システムを設けることによって、センサの通過を可能にするように構成されるべきである。制御ユニットのハウジングは、プラスチックハウジングなど、熱的および電気的に絶縁していてもよく、また、特にスナップまたはネジを介してヒータに機械的に接続されてもよい。
【００３４】
制御ユニットは、一般に、流量計のセンサ、特にホールセンサを支持する部分を有してもよいＰＣＢを備える。そのような場合には、流量計をこのＰＣＢ部分に対して強固に取り付けて、上記センサがそのＰＣＢ部分とともに流量計に組み付けられるようにすることができる。制御ユニットは、特に、貫通開口を有するハウジングを含んでいてもよく、流量計は、ハウジングの外側に延びる流体回路内に接続するために、貫通開口を通じてＰＣＢから延びる。
【００３５】
あるいは、流量計を有するこのＰＣＢ部分を、引き裂きまたは引き離すなどして残りのＰＣＢから分離することができ、また、随意的に、分離された部分は、流量計と共に、制御ユニットのハウジングの外面に取り付けられ、または、存在する場合には他の場所に取り付けられる。ＰＣＢ部分の分離時、センサは、ＰＣＢ自体の製造中に予め取り付けられる柔軟な弾性ケーブルもしくはワイヤまたは他の等価な電気接続部を介してＰＣＢに接続されたままであってもよい。そのため、飲料装置の組み立てプロセス中に人の介入を必要とするセンサのそのような電気接続部を、ＰＣＢの自動組み立て中に形成することができる。ＰＣＢが形成される際に、ＰＣＢの異なる部品間で、特に例えばコントローラを支持するＰＣＢの主要部とホールセンサを有する流量計分離可能部分との間で、柔軟な非弾性ケーブルまたはワイヤ接続を自動的に行なうことは非常に容易である。飲料装置の組み立て中にＰＣＢおよびその分離可能なまたは分離された部分を自動的に取り扱うことは、柔軟な非弾性ワイヤまたはケーブルを接続するよりもかなり簡単である。
【００３６】
これらのモジュールのうちの１つは、ポンプと、ポンプを液体源に接続するための流体接続部材とを備える上方流モジュールであってもよい。随意的に、流体接続部材は、柔軟な中間流通ダクトと、一対のコネクタ端部とを有し、コネクタ端部は、特に、その後のポンプに対する接続および上記液体源の位置決めのために、ボウルフィーダなどの振動フィーダによって自動的に方向付けることができ、位置決めすることができる。
【００３７】
製造プロセスは、前述した下方流モジュールを自動的に予め組み立てるとともに、前述した制御モジュールを自動的に予め組み立て、その後、特にスナップフィットおよび／または螺合によって下方流モジュールと制御モジュールとを自動的に組み立てるステップを含んでもよい。
【００３８】
下方流モジュールは、一般に、入口と、出口と、これらの間で延びる加熱チャンバとを組み込む金属マスを有するサーモブロックを含み、マスは、熱を蓄積してその熱を液体に供給するようになっているとともに、サーモブロック上にまたはサーモブロック内に強固に固定され、そのようなサーモブロックを制御するための制御ユニット内に強固に組み付けられまたは予め組み付けられる制御ユニットの１つ以上の電気構成要素を受けるようになっている。そのような電気構成要素は、センサ、温度ヒューズ、および／または、電力構成要素、特に温度センサ、流量計、レジスタヒータ、電流計、および、電力レギュレータを含んでもよい。全てのそのような電気構成要素は、硬質であってもよく、自動的に空間的に基準付けることができてもよく、また、制御ユニットに対してまたは制御ユニット内に自動的に接続可能であってもよい。
【００３９】
また、製造プロセスは、前述した下方流モジュールを自動的に予め組み立てるとともに、前述した上方流モジュールを自動的に予め組み立て、その後、硬質流体接続部材、特に硬質ダクトを有する流体接続部材および随意的に弾性シール部材を有する端部コネクタを介して下方流モジュールと上方流モジュールとを自動的に組み立てるステップを含んでもよい。
【００４０】
上方流モジュールのポンプは、硬質ダクト、特にモジュール間で自動的に取り扱われて組み付けられ得る硬質チューブ部材によって下方流モジュールのインラインヒータに接続されてもよい。ダクトは、コネクタによってポンプの出口に接続されるのが好ましい。そのようなコネクタは、ポンプの出口、したがってポンプを硬質ダクトに弾性的に接続するために弾性シール部材を備えていてもよい。そのため、ポンプの動作に起因する振動は、この弾性シール部材によって弱められ、ヒータに伝えられることが抑制される。したがって、ポンプの振動の装置のハウジング内の他の部分への伝達、特にダクトまたはチューブ部材およびそれに接続される他の部分への振動の伝達をかなり防止することができる。また、弾性シール部材は、ポンプの液体出口とダクトとの間の接続部をシールして接続部から液体が出れないように配置されるべきである。また、弾性シール部材は、装置の液体出口に対するダクトの回動動作を可能にすることによりポンプの振動の伝達を更に弱めるように形成される。そのようなポンプ接続の例が欧州特許第０８１５７０６６．５号に開示されている。
【００４１】
製造プロセスは、前述した制御モジュールを自動的に予め組み立てるとともに、前述した上方流モジュールを自動的に予め組み立て、その後、流体接続部材、特に硬質ダクトを有する流体接続部材および随意的に弾性シール部材を有する端部コネクタを介して下方流モジュールと上方流モジュールとを自動的にならびに／または手作業で組み立てるステップを含んでもよい。
【００４２】
そのような飲料装置のポンプは前述したように使用中に振動する傾向があるため、飲料装置内に制振器を取り付けて、ポンプから装置全体への、特にユーザがアクセスできる装置部品への振動の伝達を防止しまたは減少させることが好ましい。そのようなポンプの例は欧州特許第０８１５７０６６．５号に開示されている。
【００４３】
また、そのような振動の伝達を抑制するため、ポンプは、そのような振動を伝達させないまたは振動をかなり減少させる電気接続部を介して制御ユニットに電気的に接続されることが好ましい。そのため、ポンプは、柔軟なケーブルまたはワイヤを介して制御ユニットに接続されてもよい。しかしながら、制御ユニットに対するポンプの自動接続を可能にするため、流量計のセンサをＰＣＢに接続することに関して同じシステム技術が使用されてもよい。したがって、柔軟なケーブルまたはワイヤの両端がユニットのＰＣＢに予め取り付けられてもよい。この場合、一端は、ＰＣＢの取り外し可能な部分、例えば電気接続ストリップを備える部分に取り付けられ、それにより、ポンプに電気的に接続して給電するためのプラグなどのコネクタを形成する。あるいは、ポンプのための接続部、例えば柔軟な非弾性ワイヤまたはケーブルがポンプ制振器内にまたはポンプ制振器に対して組み込まれてポンプへと案内されてもよい。
【００４４】
１つの実施形態において、製造プロセスは、
− 開放した外側飲料ハウジング、特に開放した２−シェルハウジングを設けるステップと、
− 自動的に予め組み立てられるモジュールを自動的に相互接続するステップと、
− 相互接続されたモジュールを開放した外側飲料ハウジング内に自動的に取り付けるステップと、
− 取り付けられたモジュールを含む外側飲料ハウジングを自動的に閉じるステップと、
を含む。
【００４５】
あまり好ましくない実施形態では、例えばポンプの電気的接続に関連して説明したように、外側飲料ハウジングを閉じる前に２つのモジュールを手作業でまたは部分的に手作業で、部分的に自動で接続することもできる。
【００４６】
また、本発明は、前述したプロセスによって製造される飲料生成装置にも関連する。そのような装置の構成要素は、自動組み立てに適合されるような形態および構造を有するとともに、特に、そのような飲料装置のための完全自動組み立てシステムによって空間的に基準付けることができないおよび／または方向付けることができない部品を回避する。特に、これらの構成要素は、接続されるべき少なくとも１つの自由浮動端を有しおよび／または自動装置もしくはロボットなどの自動組み立てシステムによって取り扱うことができる適切な基準構造を有さない柔軟な非弾性チューブ、柔軟な非弾性電気ケーブル、ならびに、ワイヤを含まない。
【００４７】
本発明の他の態様は特に前述した飲料生成装置に関する。飲料生成装置は、
− 液体を液体源から飲料出口へと案内するための流体回路と、
− ＰＣＢを有する制御ユニットと、
− 流体回路内の流量を測定するために流体回路内に配置されるとともに、ＰＣＢの一部分、特にＰＣＢから引き裂くことができまたは引き離すことができる部分などの分離可能な部分と一体のセンサ、随意的にホールセンサを有する流量計と、
を備える。
【００４８】
本発明の更なる態様は特に前述した飲料生成装置に関する。この飲料生成装置は、
− 上記飲料の原料を受けるとともに、水などの流入する液体流を上記原料に通過させて飲料出口へと案内するための浸出ユニットと、
− 浸出ユニットに供給されるべき上記液体流を加熱するためのサーモブロックなどのインラインヒータと、
を含む。
【００４９】
浸出ユニットは、スナップコネクタ、クリップコネクタ、クランプコネクタ、プラグ・ソケットコネクタ、バヨネットコネクタ、および、ネジコネクタから選択されるコネクタによってヒータの前側部分におよび／または前側部分内に機械的に取り付けられる原料ケージ、特にそのような原料を収容するカプセルのためのカプセルケージを有する。
【００５０】
カプセルケージは、通常、随意的にカプセルまたはポット内にある粉末スープ、挽いたコーヒー、または、ティーなどの飲料原料を収容するようになっている装置の浸出チャンバの一部を画定する。浸出チャンバは、チャンバ内に収容される食品または飲料原料を浸出するために熱い液体が注入される上流側部分と、浸出によって生成される液体食品または飲料を案内するために出口へと通じる下流側部分とを有してもよい。適切な浸出チャンバは例えば欧州特許第１２９９ ０２２号に開示されている。
【００５１】
本発明の更なる態様は、そのような飲料の原料を受けるとともに、水などの流入する液体流をそのような原料に通過させて飲料出口へと略水平方向に沿って案内するための原料ケージを有する浸出ユニットと、浸出ユニットに供給されるべきこの液体流を案内して加熱するための、ダクトを伴うマスを有するサーモブロックなどのインラインヒータとを備える、特に前述したタイプの飲料生成装置に関する。原料ケージはヒータの前側部分におよび／または前側部分内に機械的に取り付けられる。ダクトは、ヒータのマス内で、原料ケージ内での液体の流れ方向と平行、特に同軸な方向に沿って略螺旋状に延びるとともに、ケージ内での液体の流れ方向と同軸な方向に沿って原料ケージ内に通じる。
【００５２】
一般に、浸出ユニットは、原料ケージを含む固定されたリア部品と、原料ケージ内におよび／または原料ケージから上記原料を挿入するおよび／または除去するための開位置とそのような原料を浸出ユニット内で浸出するための閉位置との間でリア部品に対して移動可能なフロント部品とを有し、フロント部品は、そのような装置の最も外側のハウジングの内外に特に伸縮しておよび／またはケージ内での液体の流れ方向と同軸に移動する。
【００５３】
飲料装置はヒータに隣接して略鉛直におよび／またはケージを通じた液体の流れ方向（５２７）に対して略垂直に延びるＰＣＢを伴う制御ユニットを更に有してもよい。
【００５４】
一般的に言えば、基準付けられないまたは自由浮動の柔軟な非弾性の変形可能なケーブルまたはワイヤまたはチューブの使用を避けることにより、液体食品および飲料生成装置の組み立てプロセス中の工程数が減少され、特に、人の介入の数が減少される。そのため、それに対応して製造コストおよび組み立てコストが減少され、ならびに、人為的ミスに起因する故障のリスクが減少される。自動で基準付けることができない柔軟な非弾性の変形可能な構成要素を回避することにより、組み立ての自動化を増やすことができる。また、前述したように破壊することなく取り外すことができる電気的接続、機械的接続、および、流体接続を飲料生成装置の構成要素間に設けることにより、装置の点検および修理がかなり容易化される。
【００５５】
ここで、概略図面を参照して、本発明について説明する。
【図面の簡単な説明】
【００５６】
【図１】本発明に係る組み立ての最中の飲料装置の内部を示している。
【図２】下方流モジュールおよび制御モジュールの分解図を示している。
【図３ａ】本発明の製造プロセスのための予め組み立てられた下方流モジュールを示している。
【図３ｂ】このモジュールを断面で示している。
【図４】本発明の製造プロセス中の制御モジュールと下方流モジュールの部品との間の組み立てを示している。
【図５】本発明の製造プロセスのためのこの制御モジュールを示している。
【図６】このモジュールの分解図を示している。
【図７】そのような制御モジュールのＰＣＢに取り付けられる流量計を示している。
【図８】ＰＣＢ上およびヒータ内に強固に取り付けられる電気構成要素の組み立てを示している。
【図９】ＰＣＢ上およびヒータ内に強固に取り付けられる電気構成要素の組み立てを示している。
【図１０】ＰＣＢおよびヒータに強固に取り付けられるセンサの組み立てを示している。
【図１１】ＰＣＢおよびヒータに強固に取り付けられるセンサの組み立てを示している。
【図１２】ＰＣＢおよびヒータに強固に取り付けられるセンサの組み立てを示している。
【図１３】電力構成要素とＰＣＢとの間の電力接続を示している。
【図１４ａ】図１３に示される電力接続の第１の方向にしたがった偏向を示している。
【図１４ｂ】図１３に示される電力接続の第１の方向にしたがった偏向を示している。
【図１５ａ】図１３に示される電力接続の第２の方向にしたがった偏向を示している。
【図１５ｂ】図１３に示される電力接続の第２の方向にしたがった偏向を示している。
【図１６ａ】本発明の製造プロセスのための予め組み立てられた上流モジュールを示している。
【図１６ｂ】本発明の製造プロセスのための予め組み立てられた上流モジュールを示している。
【図１７ａ】予め組み立てられた上方流モジュールと予め組み立てられた下方流モジュールとの間の接続を示している。
【図１７ｂ】予め組み立てられた上方流モジュールと予め組み立てられた下方流モジュールとの間の接続を示している。
【図１８ａ】予め組み立てられた上方流モジュールと予め組み立てられた下方流モジュールとの間の接続を示している。
【図１８ｂ】予め組み立てられた上方流モジュールと予め組み立てられた下方流モジュールとの間の接続を示している。
【発明を実施するための形態】
【００５７】
前述したように、本発明の一態様は、飲料生成装置を製造するための完全にまたは大部分が自動のプロセスに関し、また、そのような自動組み立てプロセスを可能にする装置構成に関する。
【００５８】
図１〜図１８ｂは、製造プロセス中における飲料生成装置の異なる部分および組み立てを示しており、これらを自動組み立てに適するようにする特徴に特に重点を置いている。一般に、このタイプの飲料生成装置は、コーヒー、ティー、および／または、スープのような食品生成物を含む他のホット飲料を生成するのに適している。浸出チャンバへ流通される液体の圧力は例えば約１０〜２０ａｔｍに達してもよい。
【００５９】
図１は、一般に、本発明にしたがって製造される飲料生成装置において見出され得る内部構成要素の全体図を与えている。構成要素は、飲料生成装置の斜視図においてハウジング１０００内に取り付けられて示されている。ハウジング１０００は、例えば欧州特許第１８６７ ２６０号に開示されるタイプのドリップトレイ装置と使用済みカプセルコレクタとを受けるためのキャビティ１０５０を画定する。装置の後部は水タンクを受けるようになっている。この種の装置の水タンク、カプセルコレクタ、および、ドリップトレイコレクタの外観図は国際出願ＰＣＴ／ＥＰ０９／０５３１３９号に示されている。
【００６０】
例えば、ハウジング１０００は、２つのハーフシェル、例えば略クラムシェルから形成されており、そのうちの一方は、飲料装置の内部構成要素およびモジュールをハウジング１０００内に組み付けるための受け支持体としての機能を果たす。そのため、組み立て中、全ての内部構成要素およびモジュールが一方のハーフシェル内に配置されて接続されてもよい。構成要素間およびモジュール間の接続は、シェルへの組み付け前および／または組み付け時に行なわれてもよい。全ての内部構成要素およびモジュールがハーフシェル内で所定位置に配置されて接続されると、特に第２のハーフシェルを第１のハーフシェルに対してクリップ留めすることによりおよび／またはスナップフィットにより、ハウジング１０００が第２のハーフシェルによって閉じられる。構成要素およびモジュールは、ハウジング１０００の対応する適合内部形状内、特にハウジングの壁および仕切り内での構成要素およびモジュールのクリップ留め、スナップフィット、クランプ、締め付け、または、任意の他の幾何学的固定によってハウジング１０００内に固定されるのが好ましい。したがって、内部構成要素およびモジュールをハウジング１０００内に固定するために、機械的な組み立ておよび／または骨の折れる分解可能な接続のためのネジ、リベット、接着剤、溶接、または、他の複雑な接続が必要とされない。これは、飲料生成装置の組み立てならびにその後の想定し得るメンテナンスおよび／または修理を大いに簡略化する。
【００６１】
飲料生成装置は、生成されるべき飲料の原料、特に当分野において知られるようなカプセルまたはポッド内に供給される事前分割された原料を受けるための浸出ユニット５００を有する。浸出ユニット５００は、水などの流入する液体を原料に通過させて飲料出口５１０へと案内するように構成される。
【００６２】
また、飲料生成装置は、浸出ユニット５００に供給されるべき液体流を加熱するためのサーモブロック６００（図２〜図４に更に詳しく示されている）などのインラインヒータを有する。液体は、流体コネクタ７００に取り付けられるリザーバ７００の形態をなす液体源からポンプ８００によりヒータ６００を通じて推し進められ、これらは全てが相互に接続される。そのため、飲料生成装置は、液体をリザーバ７００から飲料出口５１０へと案内するために、ダクトもしくはチャンネル５’、５’’、２００、５０５を伴う様々な接続部材、特にチューブまたは他の部材を有する。
【００６３】
飲料生成装置を制御するべく、生成装置は、ユーザからの命令を、インタフェース２ｂを介して受けるため、また、インラインヒータ６００およびポンプ８００を制御するため、ＰＣＢ４を取り囲むハウジング３によってシールドされる電気制御ユニット２を含む。ハウジングは、ＰＣＢ４上に直接に組み付けられ、ハウジング３の外側に延びる流体回路５に接続される流量計９５を収容するための開口３ｃを有する。
【００６４】
また、飲料生成装置は１つ以上の電気センサ７０、９５も有しており、センサは、浸出ユニット５００、インラインヒータ６００、液体リザーバ７００、キャビティ１０５０内の原料コレクタ、ポンプ８００の特性、液体の流量、液体の圧力、および、液体の温度から選択される少なくとも１つの動作特性を検出するとともに、そのような特性を制御ユニット２に通信する。センサについては図１０〜図１２と関連して更に詳しく説明する。
【００６５】
また、図１には、制御ユニット２に接続されるマスタスイッチ２ａおよびコンセント電源に接続するための電気コード２ｃも示されている。
【００６６】
図２は、制御ユニット２と様々なセンサ９５との完全自動で予め組み立てられたモジュールの斜視図を、完全自動で予め組み立てられてもよく、浸出ユニット５００とヒータ６００とを備えるモジュールの分解図と一列に並べて示している。また、後者も、後述するように、互いに完全自動で組み付けられる。図３ａ、図３ｂは、組み立て時のこれらの様々な要素を示している。
【００６７】
浸出ユニット５００は、浸出チャンバ５２５の後側部分を画定するカプセルケージ５２０を含む固定されたリア部品を有するとともに、浸出チャンバの前側部分を画定する移動可能なフロント部品５４０を有する。フロント部品５４０は、当分野において知られるように浸出チャンバ５２５内の上昇する圧力下でカプセルを開放するためのピラミッド状プレート５４１を含む。
【００６８】
ヒータ６００は、液体を流通させるために入口６０１と中央出口６０２との間に螺旋状ダクト６０５を含む外周部分を伴う金属マス１を有する。入口６０１は、以下で更に詳しく説明される中間硬質管状接続部２００を介してポンプ８００の出口８２０に接続される。
【００６９】
加熱ダクト６０５は、例えば水平軸線または非垂直傾斜軸線に沿って延びる略螺旋状ダクトの部分である、上流部分とそれに後続する下降流部分とを備えてもよい。そのような上流部分および下降流部分は、これらに沿って水の増速を促して増速を伴う水の流れによって泡を下降流部分へと押し下げることによりそのような上流部分での泡の蓄積を抑制する幅狭い断面を有してもよい。この構成において、ダクトは、その断面のサイズがチャンバに沿って変化するようになっており、それにより、さもなければ泡、特に蒸気泡を捕捉する働きをする場合がある領域、通常は上側領域で流速が高められる。これらの領域で増大された液体速度は、これらの領域での液体の高速流によって全ての想定し得る泡をこれらの領域から「洗い」流す。断面が減少されたそのような領域での過熱を避けるため、ヒータの対応する部分で、例えばこれらの部分の抵抗手段を調整することによって、加熱出力が減少されてもよい。この原理は、国際出願ＰＣＴ／ＥＰ０８／０６３０９２号に更に詳しく説明されている。
【００７０】
変形例において、ダクト６０５は、十分な水流速度を与えて加熱中に内部に形成される想定し得る蒸気泡を勢いよく流すために、その全体の長さに沿って減少される断面を有する。
【００７１】
また、マス１は、カプセルケージ５２０の後側部分を収容するための中央キャビティ１ｂと、マス１の前方で延びて一対のガイドピン６２０を保持する一対の一体アーム６１０とを有し、それぞれのガイドピンはアーム６１０を貫通して延びている。
【００７２】
カプセルケージ５２０は、キャビティ１ｂ内でのケージ５２０の後側部分の時計回りの回動動作時にピン６２０の内端と金属マス１の前面との間に係合するケージ５２０上の一対の横方向ロックピン５２１から形成されるバヨネット接続部によってマス１に対してロックされる。ケージ５２０は、キャビティ１ｂ内にカプセルケージ５２０を組み付ける時に金属マス１の上側の前側部分を覆う上側フランジ５２２を有する。また、カプセルケージ５２０は、キャビティ１ｂ内で管状の硬質結合要素５２４を介して金属マス１の出口に接続される入口５２３を有する。硬質結合要素５２４は、バヨネット閉塞体の軸方向圧力を受けて隣接する管状要素５２３、６０２によって圧縮されるＯリングシールと関連付けられ、それにより、ポンプ８００による圧力下で供給される液体に耐える不浸透性組み立てが与えられる。そのため、金属マス１内にダクト６０５によって形成される硬質流体通路は、硬質要素５２４および入口５２３を介して浸出チャンバ５２５内へと延びる。
【００７３】
予め組み立てられるヒータ６００とカプセルケージ５２０は、２つの駆動レバー５４５を介して浸出ユニット５００のフロント部品５４０に固定される。フロント部品５４０は、カプセルケージの直立脚５３０の通過を許容するための開放底部（図示せず）を有するとともに、レバー５４５の一端にあるコネクタ５４６の通過のための一対の横方向に細長い側窓５５１を有する。コネクタ５４６の内側は、フロント部品の内側でヒータのピン６２０に枢動可能に取り付けられるとともに、フロント部品５４０の外側で回動可能なＵ形状ハンドル５６０の先端５６１の溝５６２内に組み付け固定される。レバー５４５の他端は、フロント部品５４０の内側の対応する直立溝５５２内で上下動するように配置される、例えばボールベアリングを含むホイール５４７を有する。
【００７４】
そのため、ハンドル５６０に対する上下動作によって先端５６１およびコネクタ５４６が前後に回動されると、レバー５４５のホイール５４７が溝５５２内で上下動されてコネクタ５４６が窓５５１に沿って前後に引かれ、それにより、浸出ユニット５００のリア部品５２０およびフロント部品５４０が接近・離反移動される。フロント部品５４０がリア部品５２０から離間されると、上側開口５４２を介してカプセルを部品５２０、５４０間に挿入することができ、その後、フロント部品５４０がリア部品５２０に対して後退されると、カプセルをカプセルチャンバ５２５内に封入することができる。浸出ユニット５００のこれらの開閉動作中、フロント部品５４０が外側ハウジング１０００の内外に突没する。カプセルチャンバ５２５に対するカプセルの挿入および除去、ならびに、同様の浸出ユニットの構造の詳細については、同時係属出願ＰＣＴ／ＥＰ０８／０６０４６３号において更に詳しく説明されている。
【００７５】
また、リア部品５２０の脚部５３０は、リア部品５２０をヒータ６００と固定し、レバー５６０の作用下でフロント部品５４０がハウジング１０００内で移動できるようにするために、飲料装置のハウジング１０００内へ延びる一対の固定ピン５３１を有する。
【００７６】
当業者であれば直ぐに分かるように、カプセルケージ５２０、金属マス１、フロント部品５４０、レバー５４５、ハンドル５６０、結合要素５２４は、全てが硬質であり、また、その完全自動組み立てのために、自動組み立てシステム、例えばロボットまたは自動装置によって困難なく取り扱うことができる。
【００７７】
図３ｂに更に詳しく示されるように、金属マス１を有するヒータ６００は、出口６０２および中間チューブ５２４を介してカプセルケージ５２０と直接に流体接続した状態に配置される。カプセルケージ５２０は、一般に、ピラミッド状プレート５４１を有するフロント部品５４０に抗してカプセルを取り囲むためにカップの形状を有する。カプセルケージ５２０は、カプセルケージ５２５内に保持されるカプセル内の原料中に液体を注入するための開口を設けるために穿刺ブレード５２６などの１つ以上のカプセル開放体を含む。つまり、浸出ユニット５００はブレード５２６などのカプセル開放手段を備え、カプセル開放手段は、浸出チャンバ５２５内に配置されるとともに、略水平方向５２７でカプセルを貫通することにより、特に水平方向５２７に沿ってフロント部品５４０を閉じることによって閉塞動作時にカプセルをカプセル開放手段に抗して付勢することより、カプセルを開放するようになっている。浸出チャンバ５２５は、中間チューブ５２４からフロント部品５４０へと、特にフロント部品のピラミッド状プレート５４１へと浸出チャンバに沿って略水平に延びる液体流通流を有する。
【００７８】
また、液体は、浸出チャンバ５２５内の流れの方向５２７と略平行な方向に沿って、特にそれに対して同軸に金属マス１を通じて流通する。特に、液体は、カプセルケージを通じた流れ方向と平行、特に同軸な略水平方向５２７に沿って螺旋状に延びるダクト６０５を介してヒータ６００を貫通して流れるようになっている。更に、この方向は、前述したようにフロント部品５４０の伸縮動作と平行である。
【００７９】
したがって、浸出チャンバ５２５および金属マス１を有するヒータ６００は、幾何学的に、機械的に、および、流体的に組み立てられ、結合され、位置合わせされ、それにより、２つの構成要素の強固な一体化、空間の節約、および、組み立ての簡素化が可能になる。
【００８０】
更に、図３ｂにも示されるように、制御ユニット２は、ヒータ６００に隣接して略鉛直におよび／またはカプセルチャンバ５２５および金属マス１を通じた液体の一般的な流れ方向５２７に対して略垂直に延びるＰＣＢ４を有する。この構成は、飲料装置内での浸出ユニット５００、ヒータ６００、および、ＰＣＢ４を有する制御ユニット１の更なる一体化を可能にする。
【００８１】
また、ヒータ６００の後側部分は、接続要素、特にネジ状の要素６３０によって、制御ユニット２、特にそのハウジング３に対して取り付けられる。後述するように、センサおよびコネクタが制御ユニット１からヒータ６００へと強固な態様で延びており、それにより、制御ユニット２とヒータ６００との組み立てを完全に自動化することができる。
【００８２】
サーモブロック６００および制御ユニット２の僅かな変形が図４〜図６に示されており、これらの図では、同じ参照符号が一般に同じまたは類似の要素を示している。
【００８３】
制御ユニット２は、ハウジング３が矢印３’の方向で金属マス１に組み付けられるときに金属マス１の表面の対応する凹部１ａと協働するハウジング３のスナップ３ａを介して、ヒータ６００の金属マス１の後側部分に固定される。
【００８４】
制御ユニット２の２部品ハウジング３は、特に略不浸透な態様でＰＣＢ４を両側で取り囲み、それにより、基板４を装置内の液体および蒸気から保護する。ハウジング３の２つの部品は、ネジ３ｂによって、または、リベット、接着、溶接などの任意の他の適した組み付け手段によって組み付けられてもよい。制御ユニット２は、ハウジング３を介してＰＣＢ４に接続される２つの制御スイッチ２ｂおよびマスタスイッチ２ａと関連付けられる。無論、スクリーンまたはタッチスクリーンを含む更に精密なユーザインタフェースを使用することができる。ＰＣＢ４は、ハウジング３の対応する開口を貫通して延びる電力ピン１１を介して加熱電力を金属マス１に供給するための電力コネクタ８０と、液体食品または飲料生成装置内の１つ以上の更なる電気装置、例えば必要に応じてユーザインタフェース、ポンプ、ファン、バルブ、液体冷却要素などのための更なる電気コネクタ４ａと、中央電源用のコンセント電源に対するコネクタ４ｂとを含む。自由に動く柔軟な電気ケーブルまたはワイヤを介した制御ユニット２に対するポンプ８００の手動での電気的接続を避けるために、柔軟なケーブルまたはワイヤに接続される分離可能な部分を含み、ポンプ８００のためのプラグまたはソケットを形成するＰＣＢ４に対して柔軟な非弾性ケーブルを予め組み付けることができる。そのため、組み付け中、ＰＣＢ４の分離可能な部分は、引き裂かれまたは引き離されてポンプ８００に自動的に接続されてもよい。
【００８５】
サーモブロック６００は、電気構成要素、すなわち、その開口が突出壁１０２間に形成されるキャビティ内にある、プラグ部材５２に接続される温度センサ７０、温度ヒューズ７５、トライアック６０の形態をなす電源スイッチと、コネクタピン１１を有する加熱レジスタ（図示せず）とを含み、これらの電気構成要素は、図８〜図１５ｂに関連して以下で更に詳しく説明するように、金属マス１に強固に固定されるとともに、ＰＣＢ４に強固に接続される。また、ＰＣＢ４は、飲料生成装置の水回路中、一般的にはポンプ８００と水リザーバまたは液体リザーバなどの水源または他の液体源との間、または、ポンプと加熱装置との間、または、ヒータ内に配置される流量計のホールセンサ９０に対して、硬質コネクタまたはケーブル９１を介して電気的に接続される。
【００８６】
そのため、そのような電気構成要素は、制御ユニットに対してまたは電気構成要素と協働すべき飲料生成装置の部品に対して自動的に予め組み付けられてもよい。電気構成要素の剛性、ならびに、制御ユニットおよび受け取り装置部品の剛性は、これらの電気構成要素の完全自動の事前組み立てを可能にする。
【００８７】
また、ＰＣＢ４は、流量計を用いて測定される流通液の流量と温度センサにより測定される熱水の温度とに基づいて抵抗加熱素子に通される電流の強度を制御するためにマイクロコントローラまたはプロセッサおよび場合により水晶時計を有してもよい。温度制御の精度を高めるため、１つ以上の温度センサが金属マス１内におよび／または浸出チャンバ５２５内におよび／または金属マス１の上流にまたは金属マスの水入口６０１または出口６０２に組み込まれてもよい。また、コントローラまたはプロセッサは、飲料生成装置の更なる機能、例えば、ポンプ８００、水供給リザーバ内の液位検出器（図示せず）、バルブ（図示せず）、ユーザインタフェース２ａ、２ｂ、電力管理装置（図示せず）、一体型コーヒーグラインダなどの自動飲料原料供給器、または、原料カプセルまたはポッド（図示せず）の自動供給器なども制御する。
【００８８】
図７は、本発明に係る液体食品または飲料生成装置のための流量計９５の本発明に係る他の実施形態を示している。流量計９５は、ＰＣＢ４の一体構成要素としてまたは一般に溶接によってＰＣＢに強固に取り付けられもしくは接続される別個の構成要素としてＰＣＢ４に組み込まれるホールセンサ９０’を含む。また、流量計９５は、上流水流通回路５にも組み込まれ、ホールセンサ９０’を介して回路５の水流入パイプ５’および水流出パイプ５’’とＰＣＢ４とに対して接続される。水パイプ５’、５’’は、例えばシリコンから形成される柔軟な非弾性的なものであってもよく、または、自動組み立てを容易にするために硬質であってもよい。流量計９５は、水が流通される内部磁気ヘリックスまたはロータ（図示せず）を含む。水流は、流量計９５内において、磁気ヘリックスまたはロータを水の流速に比例する角速度で回転駆動させ、それにより、磁気ヘリックスまたはロータによって発生される磁場の対応する回転が引き起こされ、この磁場の回転は、ホールセンサ９０’によって検出されて、ＰＣＢ４に対する対応する電気信号へと変換される。
【００８９】
流量計９５のこの構成は、図１〜図３ｂに示される飲料生成装置の実施形態に対応する。図示のように、流量計９５は、ＰＣＢ４に対して直接に固定されるとともに、制御ユニット２のハウジング３の底部の開口を貫通して延び、それにより、流量計９５の入口および出口を、制御ユニット２の外側に位置させて、装置の流体回路、この場合には液体リザーバのためのコネクタ７００とポンプ８００との間に接続できる。
【００９０】
ホールセンサ９０’を有する流量計９５をＰＣＢ４に直接に設けることにより、液体食品または飲料生成装置の対応する製造ステップは人の介入を必要としない。関連する部品が少なく、人的要因も減少されるため、製造ステップは、構成要素をあまり伴わず、特に電気ケーブルなどの別個のコネクタリンクを伴わず、したがって、飲料生成装置の組み立ての製造コストおよびその信頼性を低減する。図４および図５は、センサ９０がＰＣＢ４の分離可能な部分に取り付けられて事前に接続されたケーブル９１を介してＰＣＢに接続される、流量計のあまり好ましくない形態を示している。この場合、ケーブル９１は、その製造時、センサ９０の分離可能なＰＣＢ部分が残りのＰＣＢ４から分離される前にＰＣＢ４に取り付けられる。
【００９１】
使用中、加熱されるべき液体は、例えばポンプを使用することにより、流量計９５を経由した後、ヒータ６００の入口６０１、螺旋状の加熱ダクト６０５、および、ヒータ６００の出口６０２を通じて浸出チャンバ５２５内へと流通され、それにより、浸出チャンバ内に収容される原料を浸出する。ＰＣＢ４上のコントローラは、流量計９５による液体流量の測定値とプラグ部材５２に接続される温度センサ７０により測定される加熱液体の温度の測定値とに基づいて、電力ピン１１を介して金属マス１内の加熱レジスタに通される加熱電流を調整するために、トライアック６０を制御するようになっている。
【００９２】
同じ参照符号が同じ要素を示す図８および図９は、ヒータ６００の金属マス１およびＰＣＢ４に対するトライアック６０の形態をなす別個の電力構成要素の本発明にしたがった強固な組み立てを更に詳しく示している。一方、図８は組み立てを分解斜視図で示しており、図９は組み立てを断面で開示している。
【００９３】
金属マス１は、その一部が図８、図９に示されており、電力構成要素６０を受けるための凹部１０１を有する。凹部１０１は、その開口が突出壁１０２間に形成されており、例えばネジ１０４を介して金属マス１に組み付けられる例えばスプリングリーフの形状をなすスプリング要素１０３と関連付けられる。無論、他のスプリング・組み立てシステムが使用されてもよく、例えば、部品数を減らすためにスプリングリーフが金属マス１と一体であってもよくまたは金属マスに溶接されてもよい。スプリング要素１０３は、構成要素６０が凹部１０１内に挿入されるときに電力構成要素６０を金属マス１の凹部１０１の壁１０２に抗して付勢し、それにより、構成要素６０をマス１内に固定するとともに、マス１と構成要素６０との間に最適な接触を与える。
【００９４】
電力構成要素６０は、１つ以上の硬質電気コネクタピン６１、例えばＰＣＢ４に強固に接続される図８、図９に示されるトライアック用の３本のピンを有する。また、電力構成要素６０は、凹部１０１内での電力構成要素６０の固定に役立つことができる例えばシリコンから形成される随意的なキャップ６２によって覆われるとともに、電力構成要素６０の本体をＰＣＢ４から離間させてピン６１を環境から保護する随意的な非導電性スリーブ６３によってそのコネクタピン６１の周囲が覆われる。また、キャップ６２およびスリーブ６３は、電力構成要素６０の周囲で電気絶縁を行なう。
【００９５】
そのため、金属マス１は、使用中に電力構成要素により発生される熱をマス１によって、随意的にはマス１を通じた水流通によって放出することにより、電力構成要素６０ためのヒートシンカとしての役目を果たす。この目的のため、マス１は、電力構成要素からの熱を熱放出経路に沿ってマス１を通じて最適に放出できるアルミニウムまたはスチールなどの金属から構成されて形成される。
【００９６】
電力構成要素６０は、所望の熱を金属マス１で発生させて流通水を適切な温度まで加熱するための抵抗手段、例えば加熱レジスタに供給される所要電力を調整するためのスイッチまたは調整要素、例えば前述したトライアックであってもよい。
【００９７】
当業者であれば分かるように、硬質構成要素６０、および、ヒータ６００とＰＣＢ４とに対する接続部品は、それを完全自動組み立てに十分に適したものにする。
【００９８】
同じ参照符号が同じ要素を示す図１０〜図１２は、金属マス１内へのおよびＰＣＢ４に対する別個の電子構成要素７０の強固な組み立てを示している。この電気構成要素は、温度センサ、温度ヒューズ、または、他の同様の構成要素、例えば加熱レジスタなどの抵抗加熱手段に通される電流のフィードバックを行なうための電流計などのセンサであってもよい。例示目的のため、ピン１１を介して加熱レジスタに通される加熱電流の制御および金属マス１で発生される熱の調整のための温度センサ７０が開示される。温度センサ７０は、例えば、金属マス１の入口６０１もしくは出口６０２に配置されてもよく、または、それらの間に配置されてもよい。金属マス１を介して通過される水の加熱の更に正確な制御を可能にするために幾つかの温度センサが使用されてもよい。
【００９９】
一部が図１０〜図１２に示されるヒータ６００の金属マス１は、電子構成要素７０を受けるための凹部１１１を有する。凹部１１１は、突出壁１１２間に形成されており、金属マス１の表面よりも下側で延びる。
【０１００】
センサ７０はコネクタソケット７１を有しており、コネクタソケットを通じてセンサ要素７２がソケット７１の反対側の電気フラットコネクタ７３に結合される。センサの接続ピン７３は、そのうちの１つが図１１に示されるＰＣＢ４のフラットコネクタピン５１と接触される。ピン５１は、センサ７０の対応する接続ピン７３と接触するために、基板４のプラグ部材５２を貫通してソケット７１内へと延びている。コネクタソケット７１が本体１の壁１１２間に推し進められると、センサ要素７２が金属マス１の凹部１１１内に配置される。図５に示されるように、プラグ部材５２は、対応する開口を介してハウジング３を貫通して延びる。あるいは、プラグ部材５２は、ハウジング３と一体でＰＣＢ４に電気的に接続されてもよい。
【０１０１】
センサ７０が温度センサである場合、センサ要素７２の電気特性は凹部１１１内の温度に依存し、凹部１１１内の温度は、この位置での金属マス１の温度を評価するため、および、随意的には間接評価プロセスにおいて金属マス１内で流通する水の温度も評価するために使用される。
【０１０２】
センサ要素７２は、例えば、ＮＴＣ（負の温度係数）レジスタまたはＰＴＣ（正の温度係数）レジスタであってもよい。
【０１０３】
そのようなセンサ形態は、ヒータの対応する位置での信頼できる温度測定、高速応答（低慣性）を可能にするとともに、優れた信頼できる電気接触システムを与える。
【０１０４】
センサ７０は、例えば熱可塑性材料からなるソケット７１へと予め組み付けられて、完全自動プロセスで金属マス１内およびＰＣＢ４に対して組み付けられてもよい。センサ７０は、例えばエポキシ化合物を使用して金属マス１内に接着されてもよい。予め組み立てられるセンサ７０は、その後、ソケットのフラットコネクタ７３をセンサ要素７２に接続されるようにソケット７１の接続スロット内に押し込むことにより接続されてもよい。その後、プラグ７０およびコネクタピン５１を介してＰＣＢ４がハウジング３と共にソケット５２に取り付けられる。また、センサ７１を最初にＰＣＢ４に組み付けた後、センサ７１を有する制御ユニット２に対してヒータ６００をヒータ６００の右側位置で取り付けることもできる。
【０１０５】
したがって、金属マス１を有するサーモブロックとＰＣＢ４との組み立ては、任意の柔軟な非弾性部品を取り扱うことを必要とせず、したがって、人の介入の必要性を何ら伴うことなく組み立てを自動的に行なうことができる。また、センサ７０自体の組み立ては、低コストの構成要素を必要とするだけである。そのため、金属マス１に対するセンサ７０の組み付け、および、ＰＣＢ４に対するその接続は、かなりのコスト節減をもたらす。
【０１０６】
図１３は、加熱レジスタをＰＣＢ４に接続して加熱電流をＰＣＢへ伝えるまたはＰＣＢから伝えるための自己位置決め硬質電力コネクタ８０の、図１３〜図１５ｂと関連する対応する矢印によって示される、ｘｙｚ直交基準系における斜視図である。一方では図１４ａおよび図１４ｂ、他方では図１５ａおよび図１５ｂは、電力コネクタ８０の自己位置決めをｙ方向およびｘ方向でそれぞれ概略的に示している。
【０１０７】
電力コネクタ８０は、一般に、金属系のものであり、特に、十分な導電性、機械的抵抗、および、弾性を与えるスチール、アルミニウム、および／または、銅合金を含んでもよい。
【０１０８】
電力コネクタ８０は、ＰＣＢ４に対する接続のために一対の平坦な脚部８１間で延びる。各脚部８１は、平坦な略直立のスプリング部材８２の底部に接続される。直立スプリングブレード８２の上側部分は、一対の傾斜する中間部分８５、８５’間に平坦な中央水平部分８４を備える横方向スプリング部材８３を介して互いに接続される。直立部材８２、ならびに、横方向部材８３の中間部分８４および傾斜部分８５、８５’は、一対の脚部８１上で略Ｍの配置をなしている。また、横方向部材８３は貫通路を有するソケット８６を含んでおり、貫通路は、それを通じて、金属マス１から延びる電気コネクタピン１１を固定するためのものである。
【０１０９】
同じ参照符号が同じ要素を示す図１４ａ、図１４ｂ、図１５ａ、図１５ｂにおいて、電力コネクタ８０は、金属マス１内の加熱レジスタ（図示せず）に対して電力ピン１１を介して組み付けられて概略的に示されている。電力ピン１１は、金属マス１の表面から直立して延びるとともに、横方向部材８３のソケット８６の貫通路内に固定される。図示を簡略化するため、図１４ａ〜図１５ｂには、ＰＣＢ４と金属マス１との間で延びる図４〜図６に示されるハウジング３が示されていない。
【０１１０】
電力コネクタ８０の脚部８１は、例えばリベットまたは溶接８１’または任意の他の適した組み付け手段によってＰＣＢ４に電気的に接続されて固定される。金属マス１は、電力ピン１１がハウジング３の対応する穴を貫通して延びるとともに基板４の貫通開口５５を介して基板４の他方側へと基板４を貫通して延びた後に電力コネクタ８０の貫通路８６内に固定されるようにＰＣＢ４と対向する。電力ピン１１と横方向部材８３との間の連続的な電気的接続は、貫通路８６内にピン１１を加圧嵌合するまたは溶接することによって達成されてもよい。
【０１１１】
電力コネクタ８０は、図１３〜図１５ｂと関連するｘｙｚ基準系に関して貫通路８６をｘ方向およびｙ方向に僅かに位置決め変位させることができる。異なる変位方向は、対応する方向に沿う変位を可能にする弾性スプリングブレード部材８２、８３の異なる方向付け、特に垂直な方向付けによって与えられる。
【０１１２】
一方では図１４ａ、図１４ｂ、他方では図１５ａ、図１５ｂは、電力ピン１１に組み付けられるコネクタのソケット８６のｙ方向およびｘ方向に沿う変位をそれぞれ示している。ｘおよびｙ方向でのソケット８６の変位は、直立スプリングブレード８２の小さな屈曲および傾斜中間部分８５、８５’の小さな屈曲のそれぞれによって達成される。
【０１１３】
図１４ａ、図１５ａは、貫通開口５５の中央を貫通するとともに、ソケット８６の貫通路を貫通して右側で延びる電力ピン１１を示しており、これらの貫通の全てはほぼ同じ軸線に沿って延びている。この形態において、電力ピン１１は電力コネクタ８０と一直線に配置され、したがって、電力コネクタは、その直立スプリングブレード８２および傾斜中間部分８５、８５’において変位屈曲応力に何ら晒されない。
【０１１４】
一方、図１４ｂ、図１５ｂは、貫通開口５５を通じて偏心して延びる電力ピン１１を示している。電力ピン１１に位置合わせされるソケット８６の貫通路も同様に貫通開口５５に対して偏心している。この場合、ＰＣＢ４はヒータの電力ピン１１と完全に位置合わせされず、また、電力コネクタ８０は、ソケット８６のその貫通路の位置を自己適合させて、図１５ｂに示されるようなその直立スプリングブレード８２のｘ方向の屈曲によりまたは図１４ｂに示されるようなその横方向スプリング部材８３のｙ方向の屈曲によりピン１１の位置と正確に一致する。ソケット８６の貫通路内への電力ピン１１の挿入を容易にするため、ソケット８６の下側部分８６’は、電力ピン１１の略円錐状の上端を受けるようになっている略漏斗状または円錐台形状を有する。
【０１１５】
電力ピン１１の位置に適合するためのソケット８６の変位は、金属マス上での電力ピン１１の対応する対の相対位置に対するＰＣＢ４上での一対の電力コネクタ８０の相対位置間の不一致、例えば製造公差によって、または、異なる温度関連拡張メカニズムによってもたらされてもよい。また、ＰＣＢおよび飲料生成装置の固定部品、特に金属マスに対して強固に接続される他の電気構成要素、例えば温度センサおよび電力レギュレータまたはスイッチ、例えば図５〜図９に示されるようなものの相対位置が、電力接続のレベルでの変位をもたらしてもよい。
【０１１６】
使用中、ＰＣＢ４から、第１の電力コネクタ８０、第１の電力ピン１１、金属マス１の加熱レジスタ（図示せず）、第２の電力ピン１１、第２の電力コネクタ８０を介して元のＰＣＢ４へ戻る電力の通過は、電力スイッチまたは電力レギュレータによって、例えば図８および図９に示されるトライアック６０によって制御される。
【０１１７】
また、図１４ａおよび図１４ｂは、脚部８１および傾斜部分８５、８５’のＰＣＢ４上における相対位置の誤差が電力コネクタ８０によってどのように管理されるのかもまた示している。図示のように、脚部８１、したがって傾斜部分８５、８５’は、ｘ方向で完全に位置合わせされておらず、互いに僅かにオフセットされている。しかしながら、このオフセットは、ＰＣＢ４または電力コネクタ８０で過度な応力を引き起こすことなく、横方向部材８３の対応する弾性的な撓みによって完全に補償される。同様に、脚部８１を固定するためのＰＣＢ４上の２つの固定位置間の間隔が電力コネクタが弛緩状態にあるときの脚部８１間の間隔よりも長いまたは短い場合には、部材８２の対応する弾性撓みが、電力コネクタ８０またはＰＣＢ４で過度なまたは有害な応力を伴うことなく、そのような間隔の違いを吸収できる。
【０１１８】
試験によれば、約３ｍｍ×０．２ｍｍまたは０．３ｍｍの断面を有する屈曲ブレード型導電金属スプリング部からなる、脚部よりも上側の全体の幅および高さが約１．３ｃｍ×１ｃｍの図１３〜図１５ｂに示されるタイプのＭ形状の電力コネクタの場合に、約１０アンペアの電流および約８０℃の温度において良好な電気的および機械的接触を維持しつつ全ての方向で許容されて補償され得る位置オフセットは、３〜８％の範囲、特に約５％、または、０．２５〜０．７ｍｍ、一般に約０．４ｍｍとなり得ることが分かった。
【０１１９】
そのため、ＰＣＢ４に対する接続のためにその接続部分８６をその底部８１に対して１つ以上の方向で小さく変位させることができるそのような電力コネクタを用いると、予め組み付けられまたは予備成形された加熱要素コネクタの小さな位置公差は、補償され得るとともに、高電流および高温状態下で依然として良好な電気接触性能を与える。
【０１２０】
したがって、そのソケット８６を接続ピン１１に対して自己位置決めするそのような電力コネクタ８０を用いると、ケーブルがない高電流のための正確で連続した接触を、特にヒータ上の抵抗加熱手段とＰＣＢ４の電源との間に与えることができる。柔軟な非弾性電力ケーブルが存在しないと、一体化が高まり、装置の製造自動化レベルが促進するとともに、人的要因を減らすことにより装置の製造コストおよび装置の信頼性が低減する。
【０１２１】
同じ参照符号が一般に同じまたは類似の要素を示す図１６、図１６ａは、水リザーバのためのコネクタ７００に接続されるポンプ８００を示している。図１６ａは上流ポンプコネクタの拡大断面図である。水リザーバのためのコネクタ７００は、飲料生成装置のハウジング１０００内に固定されてもよい。
【０１２２】
振動ポンプが、飲料生成装置内で通常使用されるポンプの一例である。振動ポンプは、信頼できる形態の圧力を流通液体に対して与える。特に、ポンプ８００は、例えばエスプレッソコーヒーを生成するためのコーヒー機では、低圧システムからの水を必要とされる更に高い圧力へと増大させる。ポンプ８００の振動が飲料生成装置の他の部品へ伝わるのを最小限に抑えるために、ポンプ８００は、図１に示されるようなスプリング８５０に取り付けられてもよく、または、ハウジング１０００の底部に固定される図１６に示されるような脚部８６１を有する変形可能な弾性リング８６０に取り付けられてもよい。ポンプ制振装置の例は欧州特許第０８１５７０６６．５号に開示されている。
【０１２３】
図１６から分かるように、低圧システム５は、水タンクコネクタ７００、流量計９５、および、ポンプ８００のためのポンプコネクタ８７０間にリンクを形成する。
【０１２４】
低圧システムおよびポンプ支持体８６０はいずれもゴムから形成される。ポンプ支持体８６０と低圧システムにおけるコネクタ７００、８７０との一体化は、部品の数を減らして、組み立てを簡略化し、したがってコストを低減する。
【０１２５】
図１６は、低圧水流通システムのチューブ５’、５’’に接続される水タンクコネクタ７００を示している。このチューブは、水リザーバ（図示せず）をポンプ８００に接続する。コネクタ７００の下流側には、チューブ部分５’、５’’間に流量計９５が配置される。流量計９５は、チューブ５’、５’’と一体の中間チューブ出口５ａ’と入口５ａ’’との間のチューブ５’、５’’の中間部分に接続される。
【０１２６】
実際に、チューブ５’、５’’、チューブのタンクコネクタ７００、チューブ５’、５’’の中間出口５ａ’および入口５ａ’’、ポンプ支持体８６０、および、ポンプコネクタ８７０は、基準部品を設けることによって自動的に取り扱われるのに適するようにする単一の構成要素を形成する。実際には、例えばシリコンからなる柔軟な非弾性管状部分５’、５’’の想定し得る使用にもかかわらず、完全自動の取り扱いおよび飲料生成装置内でのその組み立てのために、例えば振動ボウルを使用することによって端部７００、８７０および中間部分５ａ’、５ａ’’が自動的に方向付けられて空間的に基準付けられてもよい。
【０１２７】
これらの低圧チューブ部品とポンプ支持部材との一体化は、飲料生成装置の独立型部品の数の減少をもたらし、したがって、これにより、全体の部品数が減少する。その結果、飲料生成装置のための組み立てが改善し、コストが低減するとともに、人の介入を必要としない自動組み立てがもたらされる。
【０１２８】
また、コネクタの数が減少されるため、漏れが生じ得る脆弱スポットを排除することにより、システムのより良好な圧縮が達成される。ポンプ支持体８６０を一体化することにより、同じポンプ性能においてポンプ本体によって占められる空間が減少される。水タンクコネクタとポンプとの間に一体化される流量計の配置は随意的である。例えば、流量計は、ポンプよりも下流側でインライン水ヒータの前または後に設けられてもよい。
【０１２９】
ポンプ８００は、飲料生成装置の分野で知られる振動ポンプであってもよい。それにより、ピストンがポンプチャンバ（図示せず）内に移動可能に取り付けられる。好ましくは、ピストンに対して力を及ぼすためにポンプチャンバ内にスプリングが設けられてもよい。また、ピストンを駆動するためにポンプチャンバの外周に電磁ソレノイドを設けることができる。そのため、ソレノイドによる作動に起因して、ポンプチャンバ内でピストンを軸方向に往復動させることができる。ポンプチャンバは、ポンプ８００の液体入口８１０および液体出口８２０に接続される。ピストンは、通常、ピストンの往復移動中に液体をポンプ８００の液体入口８１０から液体出口８２０へと圧送するためにバルブによって選択的に閉じることができる孔を含む。入口８１０は、ポンプ８００と流体回路５との間で水密シール接続を行なうために例えばシリコンから形成されるコネクタ８７０の出口に加圧嵌入される外側鋸歯状接続部を有する。
【０１３０】
変形例では、ポンプ支持体８６０がワイヤなどの柔軟な電気接続手段を含む。これにより、支持体８６０の電気接続手段は、制御ユニット２とポンプ支持体８６０とを結合する硬質電気接続部に結合されてもよい。そのような硬質接続部は、完全に自動で取り扱われて組み立てられてもよい。
【０１３１】
図１７ａおよび図１７ｂは硬質流体接続組み立て２００の斜視図を示している。組み立て２００は、ポンプ出口８２０の硬質ダクトとヒータ６００へと向かう硬質チューブ部材２０８とを接続するためのコネクタ２０９を含む。管状接続部のポンプ側では、コネクタ２０９が出口８２０の一体部分として形成されるのが好ましい。同様の硬質管状システムがポンプ（図示せず）の上流側に設けられてもよい。
【０１３２】
各チューブ部材２０８は、液体をチューブ部材２０８内で案内するための孔２０８ａを備える。各チューブ部材２０８の孔２０８ａは、円形支持体２１０ａを介して対応する管状部に接続される。
【０１３３】
円形支持体２１０ａは、管状部材２０８の外径ｄ１よりも幅広い直径ｄ２の円形開口を有することが好ましい。したがって、円形支持体２１０ａはチューブ部材２０８を受けるように形成される。
【０１３４】
図１８ａから分かるように、コネクタ２０９は、チューブ部材２０８のための円形支持体２１０ａに取り付けられる弾性シール部材２１０を更に備える。弾性部材２１０は、コネクタ２０９をシールするのに適したＯリング等であることが好ましい。
【０１３５】
また、コネクタ２０９は、コネクタ２０９に接続されるべきチューブ部材２０８と相互作用する締結手段２２３を備える。締結手段２２３は、コネクタ２０９に接続されるべきチューブ部材２０８の側面に設けられる好ましくは円形溝２２３ｂと相互作用するロックリングまたはクリップであることが好ましい。これにより、ロックリング２２３は、コネクタ２０９に設けられる凹部２２３ａ内に保持される。そのため、締結手段２２３に起因して、図示のように２つの管状部材間の安定した接続を達成できる。
【０１３６】
コネクタは、孔２０８ａと円形支持体２１０ａとを接続する面取り部２１０ｂを更に備える。
【０１３７】
チューブ部材２０８がコネクタ２０９に接続されると、チューブ部材２０８は、弾性シール部材２１０および締結手段２２３のみによって円形支持体２１０ａ内に支持される。これにより、面取り部２１０ｂは、コネクタ２０９に対するチューブ部材２０８の回動動作を可能にする。
【０１３８】
図１８ｂに示されるように、２つの管状部材の組み立てのため、弾性シール部材２１０がコネクタ２０９の円形支持体２１０ａ内に導入される。その後、チューブ部材２０８が円形支持体２１０ａ内に導入される。コネクタ２０９に対するチューブ部材２０８の位置は、専用の凹部２２３ａ内へスライドされる締結手段２２３によって固定される。コネクタ２０９の締結手段２２３および面取り部２１０ｂは、コネクタ２０９内でのチューブ部材２０８の回動動作を可能にするように形成される。それにより、コネクタ２０９内での弾性シール部材２１０の位置は締結手段２２３によって固定される。
【０１３９】
そのため、動作中に例えばポンプ８００によって及ぼされる振動を、流体回路を通じて大きく伝えることなく、この接続部で吸収できる。また、管状部材間に配置される弾性シール部材２１０に起因して、振動伝達の抑制が更に高められる。
【０１４０】
また、振動ポンプ８００に接続される柔軟な非弾性チューブ部材の代わりに硬質チューブ部材２０８を備える前述した構成を与えることにより、ポンプ８００およびチューブ部材２０８のそれらの組み立てプロセスを自動化できる。そのため、組み立てプロセス中の人の介在を避けることができ、したがって、装置の組み立てコストを低減できる。同じタイプの硬質接続部がポンプ８００の上流側でポンプ８００とコネクタ７００との間に設けられてもよい。
【０１４１】
ポンプの下流側で飲料生成装置に対する、特にヒータ６００に対する振動伝達を更に抑制するために、同様の接続部がチューブ２０８とヒータ６００の入口６０１との間に設けられる。
【図１】
2014158948.tif 000003
【図２】
2014158948.tif 000004
【図３ａ】
2014158948.tif 000005
【図３ｂ】
2014158948.tif 000006
【図４】
2014158948.tif 000007
【図５】
2014158948.tif 000008
【図６】
2014158948.tif 000009
【図７】
2014158948.tif 000010
【図８】
2014158948.tif 000011
【図９】
2014158948.tif 000012
【図１０】
2014158948.tif 000013
【図１１】
2014158948.tif 000014
【図１２】
2014158948.tif 000015
【図１３】
2014158948.tif 000016
【図１４ａ】
2014158948.tif 000017
【図１４ｂ】
2014158948.tif 000018
【図１５ａ】
2014158948.tif 000019
【図１５ｂ】
2014158948.tif 000020
【図１６ａ】
2014158948.tif 000021
【図１６ｂ】
2014158948.tif 000022
【図１７ａ】
2014158948.tif 000023
【図１７ｂ】
2014158948.tif 000024
【図１８ａ】
2014158948.tif 000025
【図１８ｂ】
2014158948.tif 000026